(57)【要約】【課題】投げ釣りにおいて、第１の課題として、遠投が可能となる空気抵抗が少ない天秤と、第２の課題として、状況にあった中通し錘を選択し容易に交換出来る天秤と、第３の課題として、水中での引きずる抵抗が少なく、引き釣りにおいて感度が高い中通し錘とする３つの課題に対する天秤および錘を提供する事を目的とする。【解決手段】第１の課題を解決するために、道糸とハリスを連結する腕を線径が大幅に細い形状記憶合金とし、空気抵抗を低くするものとし、第２の課題を解決するために、道糸と錘を連結する腕の端部を脱着可能な止め具とする事で、遠投性と感度を選択して中通し錘を交換出来るものとし、第３の課題を解決するために、中通し錘を構成する全体の平均比重が１．５ｇ／ｃｍ３以上で３．０ｇ／ｃｍ３以下とする事により、浮力と接地面積の作用により、錘を引きずる抵抗を軽減するものとした。【選択図】図１
2007116943.tif 000002
【特許請求の範囲】
【請求項１】
投げ釣りに使用する天秤であって、道糸と錘を連結する第１の腕と、道糸とハリスを連結する第２の腕を有し、道糸の取付部側で、第１の腕と第２の腕が束ねられて固定され、第１の腕はステンレス線とし、ステンレス線の線径が１ｍｍ以上で、２ｍｍ以内であって、第２の腕は形状記憶合金とし、形状記憶合金の線径が０．３ｍｍ以上で、０．８ｍｍ以下とした細い線径とする事を特徴とする天秤。
【請求項２】
請求項１の天秤であって、第１の腕において道糸の取付部と対極する端部が、第１の腕を通して係合する中通し錘を交換するために脱着可能な止め具を有する事を特徴とする天秤。
【請求項３】
投げ釣りに使用する中通し錘であって、重さが３０ｇ以上で１４０ｇ以下の中通し錘を対象とし、中通し錘を構成する全体の平均比重が１．５ｇ／ｃｍ３以上で３．０ｇ／ｃｍ３以下とする事を特徴とする中通し錘。
【発明の詳細な説明】
【技術分野】
【０００１】
本発明は、投げ釣り用の天秤および錘に関する。
【背景技術】
【０００２】
投げ釣りでは、遠投する事で釣果を伸ばせる事が多く、天秤の腕を極力細くする事で空気抵抗を軽減し、遠投する工夫がなされている。特に、錘と一体とした天秤の腕では、線径が１．２ｍｍ前後が多く、細いものでも線径が１．０ｍｍ程度であった。さらに細いものもあるが、投げ釣りの中では、軽い錘を投げるための小型の天秤がほとんどであった。
【０００３】
投げ釣りでは、遠投する事で釣果を上げる事もあれば、岸から近い位置が良く釣れる事もあり、その日の状況によって変化するものであった。遠投する事を考えれば適度に重たい錘を使って投げる事が必要であったが、重たい錘は感度が鈍いため、遠投する必要がない時は、出来るだけ軽い錘と交換し感度を良くするような工夫がなされていた。
【０００４】
投げ釣りでは、引き釣りという釣り方があり、特にキス釣りでは投げた仕掛けをリールで巻き取り、仕掛けを引きずりながら釣る事が一般に行われている。引き釣りでは、例え遊動天秤を使用していても、錘を引きずる抵抗が常に道糸に掛かっているため、重い錘で遠投は出来るが、魚が掛かった時の感度が鈍くなる問題があった。
【０００５】
感度を課題とした発明として、特開平１１−３４６６１９号公報に開示されたものが知られている。錘の重さに左右されずに遊動式にする事により感度を良くするものである。しかしながら、引き釣りに限っては錘を引きずる抵抗が、張力として道糸に加わっているため、錘の重さが感度に影響する事は避けられないものである。
【０００６】
さらに、根掛り防止として開発された錘が、結果的に感度も良くなるものとして、特開２０００−１７５６０５号公報に開示されたものが知られている。浮力と長さを利用して根掛りを防止したものであるが、同時に浮力により水中での重さが減少し感度が良くなっている。しかしながら、投げた直後は安定飛行に入る前に錘は必ず正反対に回転してから安定状態に入るため、このように長さがある錘では投げる時点で初速が失われてしまい遠投するためには問題があった。
【０００７】
【特許文献１】特開平１１−３４６６１９号公報
【特許文献２】特開２０００−１７５６０５号公報
【発明の開示】
【発明が解決しようとする課題】
【０００８】
本発明の第１の課題として、遠投するために天秤を細くする事は空気抵抗が軽減されるが、剛性を確保するためには、最低限の太さが必要であり、ステンレス線では限界があった。この第１の課題を解決するため、天秤の腕の線径をさらに細くしても、飛行する時には道糸とハリスの距離を保ち、天秤を構成する部品も単純で小さく、空気抵抗が少なく、遠投の性能に優れた天秤を提供することを目的とする。
【０００９】
本発明の第２の課題として、遠投する距離に合わせて、重さが軽い錘が付いた天秤に交換する事は、感度を良くするために有効であるが、天秤と一体とした錘の場合は、その都度交換することは面倒であった。この本発明の第２の課題を解決するため、錘が天秤に係合され、係合された錘が容易に交換可能な天秤を提供することを目的とする。  
【００１０】
本発明の第３の課題として、錘を引きずりながら釣る引き釣りでは、例え遊動天秤であっても、錘を引きずる限り、引きずる抵抗が常に道糸に掛かっているため、錘の重さが直接に感度に影響するものであった。遠投する必要がある場合には、最低限の重さが錘に必要なため、多少の感度は犠牲にして重たい錘を使用するといった問題があった。この第３の課題を解決するため、遠投するための必要な重さがあり、水中を引きずる時は、抵抗が少なく感度が高い錘を提供することを目的とする。
【課題を解決するための手段】
【００１１】
本発明は、上述の第１の課題を解決するために、道糸と錘を連結する第１の腕と、道糸とハリスを連結する第２の腕を有し、道糸の取付部側で、第１の腕と第２の腕を束ねて固定し、第１の腕をステンレス線とし、ステンレス線の線径が１ｍｍ以上で、２ｍｍ以内とするものとし、第２の腕を形状記憶合金とし、形状記憶合金の線径は、０．３ｍｍ以上で、０．８ｍｍ以下とした大幅に細い線径を使用している。
第２の腕は、形状記憶合金を使用する事により弾力性があり、投げる時は弓なりになって道糸と仕掛けに距離を保ち、着水後は直線状に戻り、道糸と第２の腕とハリスが直線状に繋がるため感度が良くなり、大幅に細い線径を使用しているにも拘わらず復元性があるため問題なく使用可能である。その結果、第２の腕２の空気抵抗は著しく軽減され、さらに遠投出来るものとなるものである。
【００１２】
さらに、上述の第２の課題を解決するために、天秤を構成する第１の腕において、道糸の取り付け部と対極する端部が、第１の腕を通して係合する中通し錘を交換出来るように、脱着可能な止め具を設け、状況に応じた種類の錘と交換出来るものとした。
【００１３】
また、上述の第３の課題を解決するために、投げ釣りに通常使用されている錘負荷として、重さが３０ｇ以上で１４０ｇ以下の中通し錘を対象とし、中通し錘を構成する全体の平均比重が１．５ｇ／ｃｍ３以上で３．０ｇ／ｃｍ３以下とする事により、水中での浮力と、海底との接地面積が増える事で、引き釣りで錘を引きずる抵抗を軽減し、引き釣りでの感度を高めるものとした。
【００１４】
上述の比重の範囲に入る錘の構成として、部材材質を、軽金属や磁器などが使用できる。これらは、鉛を使用した錘に比べて環境に対して安全なものとする事が出来るものである。
【００１５】
また、上述の比重の範囲に入る錘のもう一つの構成として、樹脂や金属などを使用して、比重の異なる部材の複合体として構成する事が出来る。さらに重心の位置を道糸の接続側と対局する端部側に偏らせる事により、道糸の接続側の重さが軽くなり、海底で波状の砂面を乗り越えていく場合に滑らかに越える傾向になる。さらに錘の形状を細長い卵形状とすると、錘の接地面を軸として前方側を浮かせる作用が働くため、波状の砂面を滑らかに越える効果が大きくなる。
【発明の効果】
【００１６】
本発明によれば、天秤は、ハリスを取り付ける方の腕を大幅に細い部材を使用する事が可能であり、そのため飛行中の空気抵抗が低く、遠投する性能を高くする事が可能となり、水中では、道糸と天秤とハリスが直線状に繋がるため、魚の引きが伝わる感度の性能も高くする事が可能となる。なお、天秤に通した中通し錘の脱着も可能なため、遠投を重視した比重の中通し錘と、感度を重視した比重の中通し錘を、釣り場の状況に合わせて選択し、容易に交換が可能と出来るものである。さらに、前記天秤に組み込む中通し錘の比重を低くする事により、水中での浮力と、海底との接地面積が増える事で、引き釣りでの錘を引きずる抵抗を軽減し、引き釣りにおいても魚の引きが伝わる感度の性能を高める事が出来るものである。
【発明を実施するための最良の形態】
【００１７】
以下、本発明の実施の形態について説明する。
図１は本発明の構成を示す説明図であり、図２は、本発明の天秤と中通し錘を組み立てた状況を示す説明図であり、（ａ）は、高比重の中通し錘７を組み入れた斜視図であり、（ｂ）は低比重の中通し錘８を組み入れた斜視図である。図３は、本発明の低比重の中通し錘８の構成を示す断面図で、（ａ）は、単一の材質による中通し錘を示すものであり、（ｂ）は、樹脂や金属を使用して複合した部材で構成した場合の中通し錘を示すものである。図４は、本発明の使用状況を示す説明図であり、（ａ）は投げた時の天秤が飛んでいる状況を示すもので、（ｂ）は海底に着底して引いてくる状況を示すものである。
【００１８】
図１において、本発明の天秤は、第１の課題を解決するために、道糸と錘を連結するための第１の腕１と、道糸とハリスを連結する第２の腕２を有し、道糸側の第１の腕１と第２の腕２と道糸取付部Ａを形成するために折り返した第２の腕２からなる３本が、ワイヤー端子（道糸側）３で圧着される事により束ねられて固定されている。第２の腕２は、形状記憶合金を使用するものとし、ハリス取付部Ｂは、折り返してワイヤー端子（ハリス側）４で圧着する事により形成されている。第２の腕２は、弾力性がある形状記憶合金であるために、投げて飛行している時は弓なりになって道糸とハリスに距離を保ち、着水後は第２の腕２が直線状に戻り、道糸と第２の腕２とハリスが直線状に繋がるため、さらに感度が良くなるという効果がある。さらに第２の腕２は、弾力性がある部材であるために、０．３ｍｍ以上で、０．８ｍｍ以下とした大幅に細い線径を使用しても復元性があるため十分な剛性があり使用可能である。その結果、第２の腕２の飛行中の空気抵抗は軽減され、遠投の性能が高くなるものとした。
【００１９】
なお、本発明の第２の課題を解決するために、第１の腕１はステンレス線を使用するものとし、ステンレス線の線径は１ｍｍ以上で、２ｍｍ以下のものであって、下側端部に雄ネジ５を設け、止め具６には雌ネジを設ける事により止め具６が脱着出来る構成としている。このため中通し錘は、第１の腕１に遊動可能な状態で係合されるため、感度が良くなるという効果があるとともに、高比重の中通し錘７や、低比重の中通し錘８や、その他のいろいろな用途の中通し錘を、釣り場の状況により選択して、容易に交換する事が出来るものとした。
【００２０】
本発明の天秤に使用できる中通し錘は、遠投性を重視した高比重の中通し錘７と、感度を重視した低比重の中通し錘８などのように中通し錘であれば、いろいろな用途の中通し錘が使用できるものであり、高比重の中通し錘７は、従来から使用されている鉛やタングステンや鉄などのように比重が高い材質を使用するものである。
【００２１】
また、本発明の第３の課題を解決するために、低比重の中通し錘８は、中通し錘を構成する全体の平均比重が１．５ｇ／ｃｍ３以上で３．０ｇ／ｃｍ３以下とする事により体感して感度が良くなるものであり、単一な材質の部材で構成するものや、樹脂と金属などのように比重が異なる複数の部材により形成する事も出来る。低比重の中通し錘８は、容積が大きいため、水中では浮力が大きく働く事や、広い接地面積となるため、遠投する時は必要な重さがあるにも拘わらず、水中を引きずる時は、抵抗が少なく感度が高い錘を可能としたものである。
【００２２】
図２は、本発明の天秤と中通し錘を組立た状況を示す説明図であり、（ａ）は、遠投性を重視した高比重の中通し錘７を組み入れた斜視図であり、（ｂ）は、感度を重視した低比重の中通し錘８を組み入れた斜視図である。それぞれ、貫通穴９に、天秤の第１の腕１が遊動可能に係合されている。
【００２３】
図３は、本発明の低比重の中通し錘８の構成を示す断面図であり、（ａ）は、単一な材質の部材で構成する場合の断面図を示すもので、（ｂ）は、樹脂と金属などのように比重が異なる複数の部材により構成する場合の一例を示す断面図である。
【００２４】
（ａ）の低比重の中通し錘８は、軽金属もしくは磁器の錘８ａの単一の部材で構成され、使用可能な比重の部材として、特に好ましくはアルミやマグネシウムおよび磁器が使用可能である。これらは従来の鉛を使用した錘に比べると、環境に対して安全なものである。
【００２５】
（ｂ）の低比重の中通し錘８は、比重が重たい金属の錘８ｂと、比重が軽い樹脂の錘８ｃにより構成され、金属の錘８ｂは、比重が重たく加工性が良ければ何でも使用できるが、特に好ましくは、鉛や鉄および真鍮が安価で加工性も良い。金属の錘８ｂの配置は、どこでも良いが、飛行する時の安定性や、海底を引きずられる時の抵抗の軽減などから、飛行する時の前方側に重心位置が偏った方が良い。
【００２６】
図４は、本発明の使用状況を示す説明図であり、（ａ）は投げた時の天秤が飛んでいる状況を示すもので、（ｂ）は海底に着底して引いてくる状況を示すものである。
【００２７】
（ａ）の第２の腕２は、弾力性がある形状記憶合金であるために、投げて飛行している時は弓なりになって道糸ＤとハリスＥに距離を保つ事が出来ると同時に、第２の腕２は、弾力性がある部材であるために、線径が０．３ｍｍ以上で、０．８ｍｍ以下とした細い線径を使用しても復元性があるため使用可能である。その結果、第２の腕２の空気抵抗は著しく軽減され、遠投の性能が高くなるものである。
【００２８】
次に（ｂ）のように、海底に着底し、引いてくる状況では、第２の腕２が直線状に戻り、道糸Ｄと第２の腕２とハリスＥが直線状に繋がる。このため魚からの振動は、直線的に伝わるため著しく感度の性能が上がるものである。図中では、低比重の中通し錘８が止め具６から離れているが、これは魚が掛かってハリスＥが引っ張られた状況を示すものである。
【産業上の利用可能性】
【００２９】
本発明は、投げ釣りにおいて遠投する事が出来る大幅に細い腕の天秤と、遠投性や感度および視認性を選択的に重視して、状況にあった比重や色の中通し錘を交換出来る天秤と、引き釣りにおいて高感度となる比重が低い中通し錘として有用に利用する事ができる。
【図面の簡単な説明】
【００３０】
【図１】本発明の構成を示す説明図である。
【図２】本発明の天秤と中通し錘を組み立てた状況を示す説明図であり、（ａ）は高比重の中通し錘を組み込んだ斜視図で、（ｂ）は低比重の中通し錘を組み込んだ斜視図である。
【図３】本発明における低比重の中通し錘の構成を示す断面図で、（ａ）は単一の材質による中通し錘を示すもので、（ｂ）は樹脂や金属を使用して複合した部材で構成した場合の中通し錘を示すものである。
【図４】本発明の使用状況を示す説明図であり、（ａ）は投げた時の天秤が飛んでいる状況を示すもので、（ｂ）は海底に着底して引いてくる状況を示すものである。
【符号の説明】
【００３１】
Ａ      道糸取付部
Ｂ      ハリス取付部
Ｃ      海底面
Ｄ      道糸
Ｅ      ハリス
１      第１の腕
２      第２の腕
３      ワイヤー端子（道糸側）
４      ワイヤー端子（ハリス側）
５      雄ネジ
６      止め具
７      高比重の中通し錘
８      低比重の中通し錘
８ａ    軽金属もしくは磁器の錘
８ｂ    樹脂の錘
８ｃ    金属の錘
９      貫通穴
【図１】
2007116943.tif 000003
【図２】
2007116943.tif 000004
【図３】
2007116943.tif 000005
【図４】
2007116943.tif 000006